(57)【要約】【課題】  容易に閉塞部材のロック・ロック解除を切り換えることができ、また電磁石や強磁性体が変形したり破損することを防止できるキャビネットを提供する。【解決手段】  キャビネット本体２と該キャビネット本体２の開口部２ｂを閉塞する開閉自在な閉塞部材３の内、一方に強磁性体１１を設けると共に他方に閉塞部材３にて閉塞した際において前記強磁性体１１に対向する電磁石１０を設ける。閉塞部材３をキャビネット本体２の開口部２ｂを閉塞した状態において閉塞部材３の外部に露出する部分に、電磁石１０と強磁性体１１とが引き合うように電磁石１０に電流を流すか、又は電磁石１０に電流を流さないか、を切り換えるスイッチ１２を設ける。【選択図】        図１
2006009365.tif 000002
【特許請求の範囲】
【請求項１】
キャビネット本体と該キャビネット本体の開口部を閉塞する開閉自在な閉塞部材の内、一方に強磁性体を設けると共に他方に閉塞部材にて閉塞した際において前記強磁性体に対向する電磁石を設け、閉塞部材をキャビネット本体の開口部を閉塞した状態において閉塞部材の外部に露出する部分に、電磁石と強磁性体とが引き合うように電磁石に電流を流すか、又は電磁石に電流を流さないか、を切り換えるスイッチを設けて成ることを特徴とするキャビネット。
【請求項２】
上記閉塞部材が引出しであることを特徴とする請求項１に記載のキャビネット。
【請求項３】
上記閉塞部材が扉であることを特徴とする請求項１に記載のキャビネット。
【請求項４】
上記スイッチがタッチスイッチであることを特徴とする請求項１〜３のいずれかに記載のキャビネット。
【発明の詳細な説明】
【技術分野】
【０００１】
本発明は、磁力を利用して地震時等にキャビネット本体が揺れた際に閉塞部材が開かないようにできるキャビネットに関する。
【背景技術】
【０００２】
キャビネット本体と、該キャビネット本体の開口部を閉塞する開閉自在な扉や引出し等からなる閉塞部材と、を有するキャビネットにあっては、地震時等にキャビネット本体が揺れた際に閉塞部材が開いてしまうことがあり、このように閉塞部材が開いてしまうことは、閉塞部材が扉の場合にあってはキャビネット本体の内部の収納物が飛び出して落下してしまうという恐れがあり、また閉塞部材が引出しの場合にあっては引出し自体がキャビネット本体から飛び出して落下してしまうというという恐れがあり、非常に危険である。
【０００３】
このため従来からキャビネット本体が揺れた際に閉塞部材が開くことを防止するキャビネットが広く用いられている。
【０００４】
この種のキャビネットには例えば特許文献１に示すように磁力を利用して閉塞部材を閉塞状態でロックするものがある。このものはキャビネット本体の開口部の周縁部に電磁石を設け、閉塞部材となる扉の裏面に前記電磁石に対向する強磁性体を設け、扉を閉塞した際に扉の裏面とキャビネット本体との間にあるスイッチにより扉が閉塞したことを検知し、これにより電磁石に電流を流して電磁石と強磁性体とを接合して扉をキャビネット本体にロックするもので、これによりキャビネット本体が揺れた際に閉塞部材が開くことを防止している（例えば特許文献１にはこの種のキャビネットが開示されている）。
【０００５】
しかし上記特許文献１に示すようなキャビネットにあっては、扉が閉塞状態にある場合に、スイッチが扉によって覆い隠されており、また電磁石と強磁性体とが引き合っており、このため扉を開く際には電磁石と強磁性体の吸引力に抗して強い力で扉を引く必要があり、特に日常生活において頻繁に扉を開閉する場合には、その都度電磁石と強磁性体の引き合う力に抗して強い力で扉を開く必要があり、非常に面倒である。またこの場合、扉を開くことができるようにするためには電磁石と強磁性体の吸引力を小さく設定する必要があるが、このように電磁石と強磁性体の吸引力を小さくした場合にはキャビネット本体が揺れた際に閉塞部材が開く恐れがある。
【特許文献１】実開平０３−７８８６７号公報
【発明の開示】
【発明が解決しようとする課題】
【０００６】
本発明は上記従来の問題点に鑑みて発明したものであって、一般的な閉塞部材を開く時と同様の小さな力で簡単に閉塞部材を開くことができ、尚且つ電磁石と強磁性体の引き合う力を強く設定できて、キャビネット本体が揺れた際に閉塞部材が開くことをより一層防止できるキャビネットを提供することを課題とするものである。
【課題を解決するための手段】
【０００７】
上記課題を解決するために本発明に係るキャビネットは、キャビネット本体２と該キャビネット本体２の開口部２ｂを閉塞する開閉自在な閉塞部材３の内、一方に強磁性体１１を設けると共に他方に閉塞部材３にて閉塞した際において前記強磁性体１１に対向する電磁石１０を設け、閉塞部材３をキャビネット本体２の開口部２ｂを閉塞した状態において閉塞部材３の外部に露出する部分に、電磁石１０と強磁性体１１とが引き合うように電磁石１０に電流を流すか、又は電磁石１０に電流を流さないか、を切り換えるスイッチ１２を設けて成ることを特徴とする。
【０００８】
このように閉塞部材３をキャビネット本体２の開口部２ｂを閉塞した状態において閉塞部材３の外部に露出する部分に、電磁石１０に電流を流して電磁石１０と強磁性体１１とに吸引力を働かせるか、又は電磁石１０に電流を流さずに電磁石１０と強磁性体１１とに働く吸引力をなくすか、を切り換えるスイッチ１２を設けることで、使用者は閉塞部材３の外部に露出する部分に設けたスイッチ１２を操作して、閉塞部材３の閉状態でのロックと、該ロックの解除を切り換えることができ、これにより閉状態にある閉塞部材３を開く際には、スイッチ１２を操作して閉塞部材３のロックを解除することで、一般的な閉塞部材３を開く時と同様の小さな力で簡単に閉塞部材を開くことができるようになり、また頻繁に閉塞部材３を開閉する際には閉塞部材３のロックを解除しておく等できて便利である。またこのようにスイッチ１２を操作して電磁石１０と強磁性体１１との吸引力をなくすことができるため、従来例のように電磁石１０と強磁性体１１の吸引力を小さくする必要がなく、キャビネット本体２が揺れた際に閉塞部材３が開くことを一層防止できる。
【０００９】
また請求項２は請求項１において、上記閉塞部材３が引出し３ａであることを特徴とする。
【００１０】
また請求項３は請求項１において、上記閉塞部材３が扉３ｂであることを特徴とする。
【００１１】
また請求項４は請求項１〜３のいずれかにおいて、上記スイッチ１２がタッチスイッチであることを特徴とする。このようにスイッチ１２をタッチスイッチとすることで、閉塞部材３のロック及びロックの解除をより一層容易に行えるようになる。
【発明の効果】
【００１２】
本発明では、一般的な閉塞部材を開く時と同様の小さな力で簡単に閉塞部材を開くことができ、尚且つ電磁石と強磁性体の引き合う力を強く設定できて、キャビネット本体が揺れた際に閉塞部材が開くことをより一層防止できる。
【発明を実施するための最良の形態】
【００１３】
図１に本実施形態のキャビネット１の概略説明図を示す。図に示すようにキャビネット１は、内部に空所部２ａを有し且つ前面に空所部２ａ内に連通する開口部２ｂを形成した箱状のキャビネット本体２と、キャビネット本体２の開口部２ｂを閉塞する開閉自在な閉塞部材３とを有している。
【００１４】
本実施形態の閉塞部材３は上記キャビネット本体２の空所部２ａ内を前後方向に移動して空所部２ａ内に出し入れ自在に収納される引出し３ａである。引出し３ａは、底板４と、底板４の両側端に立設した側板５と、底板４の後端に立設した後板６と、を有する引出し本体７と、引出し本体７の底板４、両側板５、後板６、で囲まれた空間を前方から覆うように引出し本体７に設けた前板８とからなり、底板４、前板８、両側板５、後板６、によって囲まれた上方に開口する空間９を収納物を収納する収納部とするものである。
【００１５】
上記引出し３ａは、引出し本体７の全部を図１に示すようにその前後方向の移動範囲における後端まで移動してキャビネット本体２の空所部２ａ内に収納した状態で、引出し３ａの前板８でキャビネット本体２の開口部２ｂを閉塞するものであり、またこの状態から引出し３ａを前方に移動させることで、引出し３ａの前板８でキャビネット本体２の開口部２ａを閉塞せずに開放するものである。
【００１６】
そして上記キャビネット１にあっては、キャビネット本体２と引出し３ａの内、一方に強磁性体１１を設けると共に他方に引出し３ａにて閉塞した際において前記強磁性体１１に対向する電磁石１０を設けている。具体的には、引出し本体７の後板６の後面に電磁石１０を設けてあり、またキャビネット本体２の空所部２ａの奥面、即ちキャビネット本体２の開口部２ｂを引出し３ａにて閉塞した際において引出し３ａの後板６の後面に対向する面に、強磁性体１１を設けてある。電磁石１０と強磁性体１１は引出し３ａを閉状態とした際において引出し３ａの移動方向に並設されており、また電磁石１０にあっては電流を流した場合に強磁性体１１側と強磁性体１１とは反対側（即ち引出し３ａの移動方向における両側）が異極となるように配設されている。ここで上記強磁性体１１は磁石を除く、鉄、コバルト、ニッケル等の金属からなるものとする。
【００１７】
上記電磁石１０の電源は電池等の直流電源又は交流電源からなり、キャビネット１（引出し３ａ又はキャビネット本体２）に設けられている。この電源は配線１４を介して電磁石１０に電気的に接続されており、この電源から前記電磁石１０に電力を供給することで、電磁石１０に該電磁石１０と強磁性体１１とが引き合う方向に電流が流れるようになっている。
【００１８】
上記キャビネット本体２の開口部２ｂを引出し３ａの前板８にて閉塞した状態において、引出し３ａの外部に露出する部分である前板８の前面には、前記電源から電磁石１０へ電力を供給するか否かを切り換え、これにより電磁石１０と強磁性体１１とが引き合うように電磁石１０に電流を流すか、又は電磁石１０に電流を流さずに電磁石１０と強磁性体１１との吸引力をなくすか、を切り換えるスイッチ１２を設けている。
【００１９】
そして上記キャビネット１において、引出し３ａの前板８によりキャビネット本体２の開口部２ｂを閉塞した状態で固定してロックするには、使用者は引出し３ａの前板８の前面に設けたスイッチ１２を操作し、電磁石１０に電流を流す。これにより電磁石１０の磁力により電磁石１０と強磁性体１１が図１の矢印に示すように引き合い、引出し３ａはキャビネット本体２の開口部２ｂを閉塞した状態で移動不能となってロックされることとなる。
【００２０】
このように引出し３ａをロックすることで、地震時等にキャビネット本体２が揺れたとしても、電磁石１０の磁力により引出し３ａは移動せず、これにより引出し３ａがキャビネット本体２の空所部２ａから飛び出して落下してしまうといったことを防止できる。
【００２１】
また上記引出し３ａのロックを解除する場合には、使用者はスイッチ１２を操作し、電磁石１０に電流を流さない状態とする。これにより電磁石１０と強磁性体１１とは互いに引き合う力がなくなり、しかして引出し３ａは前後方向に移動自在となる。
【００２２】
このように本発明では、電磁石１０に電流を流すか否かを切り換えるスイッチ１２を引出し３ａの外部に露出する部分に設けてあるので、使用者はスイッチ１２を操作するだけで、引出し３ａのロック・ロック解除を切り換えることができ、従って閉状態にある引出し３ａを開く際には、スイッチ１２を操作して引出し３ａのロックを解除することで、小さな力で簡単に引出しを開くことができるようになり、また頻繁に引出し３ａを開閉する際には引出し３ａのロックを解除しておく等できて便利である。またこのようにスイッチ１２を操作して電磁石１０と強磁性体１１との吸引力をなくすことができるため、従来例のように電磁石１０と強磁性体１１の吸引力を小さくする必要がなく、キャビネット本体２が揺れた際に引出し３ａが開くことを一層防止できる。
【００２３】
なお本実施形態では引出し３ａの後板６の後面に電磁石１０を設けると共にキャビネット本体２の奥面に強磁性体１１を設けた例を示したが、引出し３ａの側板の外面に電磁石１０を設けると共にキャビネット本体２の空所部２ａの側面にこの電磁石１０に対向する強磁性体１１を設けても良いし、また引出し３ａの前板８の後面に電磁石１０を設けるとキャビネット本体２の前面における開口部２ｂの周縁部にこの電磁石１０に対向する強磁性体１１を設けても良いものとする。
【００２４】
また本実施形態ではキャビネット本体２に強磁性体１１を設けると共に引出し３ａに前記強磁性体１１に対向する電磁石１０を設けた例を示したが、電磁石１０と強磁性体１１との位置関係を逆として、引出し３ａに強磁性体１１を設けると共にキャビネット本体２に前記強磁性体１１に対向する電磁石１０を設けても良いものとする。
【００２５】
また上記図１の実施形態におけるスイッチ１２を引出し３ａの前板８の前面に設けた把手１３又は図２に示すように前板８の前面における前記把手１３の近傍に設けることが好ましい。これにより把手１３を用いて引出し３ａを引き出す際に使用者の最も操作し易い箇所にスイッチ１２を配設でき、より一層閉塞部材３のロック・ロック解除の切り換えを容易に行える。
【００２６】
また上記図１の実施形態におけるスイッチ１２を、使用者に触れられている時には電磁石１０に電流を流さないようにし、触れられていない時には電磁石１０に電流を流すようにするタッチスイッチとすることも好ましい。これにより引出し３ａのロック・ロック解除をより一層容易に行える。
【００２７】
さらには上記タッチスイッチからなるスイッチ１２は、前板８に設けた把手１３を使用者が掴んだ際に、手の一部が触れる箇所、即ち把手１３又は前板８の前面における把手１３の近傍（図２参照）に設けることが好ましい。これにより使用者が把手を掴んで引出し３ａを引き出すといった通常の引出し３ａを引き出す際の動作により、引出し３ａのロックを解除することができ、より一層容易に引出し３ａのロック及びロックの解除を切り換えることができる。
【００２８】
図３に上記実施形態とは異なる実施形態を示す。なお上記実施形態と同一の構成については同一の番号を付与してあり、重複する説明については説明を省略する。
【００２９】
本実施形態の閉塞部材３は図３に示すようにキャビネット本体２の開口部２ｂを閉塞する扉３ｂである。図示例の扉３ｂは、その一端をキャビンネット本体２に回動自在に連結し、その他端を自由端とする回動扉である。
【００３０】
そして電磁石１０は扉３ｂの後面に設けられており、強磁性体１１は、キャビネット本体２の開口部２ｂを扉３ｂにて閉塞した状態において、キャビネット本体２の前面において扉３ｂの後面に対向する部分である開口部２ｂの周縁部に設けられている。
【００３１】
またスイッチ１２はキャビネット本体２の開口部２ｂを扉３ｂにて閉塞した状態において扉３ｂの外部に露出する部分である扉３ｂの前面に設けられている。
【００３２】
そして上記キャビネット１において、扉３ｂによりキャビネット本体２の開口部２ｂを閉塞した状態でロックするには、使用者は扉３ｂを閉塞した状態で、扉３ｂの前面に設けたスイッチ１２を操作し、電源から電磁石１０に電力を供給して電流を流す。これにより電磁石１０の磁力により電磁石１０と強磁性体１１が引き合い、しかして扉３ｂはキャビネット本体２の開口部２ｂを閉塞した状態で回動不能となって、ロックされることとなる。
【００３３】
なお本実施形態では、キャビネット本体２に強磁性体１１を設けると共に扉３ｂに前記強磁性体１１に対向する電磁石１０を設けた例を示したが、逆に扉３ｂに強磁性体１１を設けると共にキャビネット本体２に前記強磁性体１１に対向する電磁石１０を設けても良いものとする。
【００３４】
また本施形態におけるスイッチ１２を、扉３ｂの前面に設けた把手１３又は図３に示すように扉３ｂの前面における前記把手１３の近傍に設けることが好ましい。これにより把手１３を用いて扉３ｂを開く際に使用者の最も操作し易い箇所にスイッチ１２を配設でき、より一層扉３ｂのロック・ロック解除を容易に切り換えられる。
【００３５】
また本実施形態におけるスイッチ１２をタッチスイッチとすることも好ましい。これにより扉３ｂのロック・ロック解除をより一層容易に行える。
【００３６】
さらには上記タッチスイッチからなるスイッチ１２は、扉３ｂの前面に設けた把手１３を使用者が掴んだ際に、手の一部が触れる位置、即ち把手１３又は扉３ｂの前面における把手１３の近傍に設けることが好ましい。これにより使用者が把手を掴んで扉３ｂを開くといった通常の扉３ｂを引き出す際の動作により、扉３ｂのロックを解除することができ、より一層容易に引出し３ａのロック及びロックの解除を切り換えることができる。
【００３７】
なお上記ではいずれの実施形態でも強磁性体１１を磁石ではない金属としたが、例えば強磁性体１１を永久磁石とし、引出し３ａをロックするにあたってスイッチを操作した際に電磁石１０と永久磁石の互いに対向する極が異極となるように電流を流すように設定してもかまわない。
【図面の簡単な説明】
【００３８】
【図１】本発明の実施の形態の一例を示し、図は閉塞部材が引出しであるキャビネットの説明図である。
【図２】同上のキャビネットの斜視図である。
【図３】異なる実施の形態の一例を示し、図は閉塞部材が扉であるキャビネットの開口部の周縁部及びその近傍を示す斜視図である。
【符号の説明】
【００３９】
１  キャビネット
２  キャビネット本体
２ｂ  開口部
３  閉塞部材
１０  電磁石
１１  強磁性体
１２  スイッチ
【図１】
2006009365.tif 000003
【図２】
2006009365.tif 000004
【図３】
2006009365.tif 000005